(57)【要約】【課題】誤操作を防ぎ、使用勝手が良好化するシャワー装置を提供する。【解決手段】可動シャワーヘッド５をフック９に保持させた状態では、可動シャワーヘッド５が止水状態となり、且つ固定シャワーヘッド４が吐水可能状態となり、可動シャワーヘッド５をフック９から引き出した状態では、可動シャワーヘッド５が吐水可能状態となり、且つ固定シャワーヘッド４が止水状態となるように吐水を切り替える吐水切替手段を設け、吐水切替手段が、可動シャワーヘッド５がフック９に保持されている保持状態を検知する検知手段１２と、検知手段１２が可動シャワーヘッド５の保持状態を検知した時に可動シャワーヘッド５への吐水流路１０ａを閉止させ、且つ固定シャワーヘッド４への吐水流路１５ａを開放させる弁手段１１ｂ，１１ｃで構成されている。【選択図】図６
2007135906.tif 000002
【特許請求の範囲】
【請求項１】
固定状に設置された固定シャワーヘッドと、フックに保持させることができるとともに該フックから引き出して使用可能な可動シャワーヘッドを備えたシャワー装置において、
前記可動シャワーヘッドを前記フックに保持させた状態では該可動シャワーヘッドが止水状態となり、且つ前記固定シャワーヘッドが吐水可能状態となり、前記可動シャワーヘッドを前記フックから引き出した状態では該可動シャワーヘッドが吐水可能状態となり、且つ前記固定シャワーヘッドが止水状態となるように、吐水を切り替える吐水切替手段を設け、
該吐水切替手段が、前記可動シャワーヘッドが前記フックに保持されている保持状態を検知する検知手段と、該検知手段が前記可動シャワーヘッドの保持状態を検知した時に該可動シャワーヘッドへの吐水流路を閉止させ、且つ前記固定シャワーヘッドへの吐水流路を開放させる弁手段で構成されていることを特徴とするシャワー装置。
【請求項２】
前記検知手段は、前記可動シャワーヘッドの吐水口側を使用者から見えないように前記フックに保持させた時のみ保持状態を検知し、前記弁手段が前記可動シャワーヘッドへの吐水流路を閉止させ、且つ前記固定シャワーヘッドへの吐水流路を開放させるように構成したことを特徴とする請求項１に記載のシャワー装置。
【発明の詳細な説明】
【技術分野】
【０００１】
本発明は、シャワー装置に関するものである。
【背景技術】
【０００２】
従来、特許文献１に開示されているように、浴室に立設されたパイプの上部にヘッドシャワーを設け、パイプの下部にハンドシャワーを設けて、ヘッドシャワーとハンドシャワーの吐水の切り替えを手動式の切替ハンドルで行うように構成したシャワー装置が存在する。
【特許文献１】特開２００３−２３０４９６号公報
【発明の開示】
【発明が解決しようとする課題】
【０００３】
しかし、上記従来のようなシャワー装置では、ハンドシャワーを使用する際に、切替ハンドルでハンドシャワー側に吐水を切り替える操作が必要であり、操作が面倒で、また切替ハンドルの切替状態を誤って、上方のヘッドシャワーから吐水させてしまい、頭から水をかぶるような事態が生ずる虞があった。
【課題を解決するための手段】
【０００４】
本発明は上記従来の問題点に鑑み案出したものであって、ハンドシャワーの使用勝手が良好なものとなり、また、誤って頭から水をかぶってしまうようなことがないシャワー装置を提供するものであり、その請求項１は、固定状に設置された固定シャワーヘッドと、フックに保持させることができるとともに該フックから引き出して使用可能な可動シャワーヘッドを備えたシャワー装置において、前記可動シャワーヘッドを前記フックに保持させた状態では該可動シャワーヘッドが止水状態となり、且つ前記固定シャワーヘッドが吐水可能状態となり、前記可動シャワーヘッドを前記フックから引き出した状態では該可動シャワーヘッドが吐水可能状態となり、且つ前記固定シャワーヘッドが止水状態となるように、吐水を切り替える吐水切替手段を設け、該吐水切替手段が、前記可動シャワーヘッドが前記フックに保持されている保持状態を検知する検知手段と、該検知手段が前記可動シャワーヘッドの保持状態を検知した時に該可動シャワーヘッドへの吐水流路を閉止させ、且つ前記固定シャワーヘッドへの吐水流路を開放させる弁手段で構成されていることである。
【０００５】
また請求項２は、前記検知手段は、前記可動シャワーヘッドの吐水口側を使用者から見えないように前記フックに保持させた時のみ保持状態を検知し、前記弁手段が前記可動シャワーヘッドへの吐水流路を閉止させ、且つ前記固定シャワーヘッドへの吐水流路を開放させるように構成したことである。
【発明の効果】
【０００６】
本発明は、固定状に設置された固定シャワーヘッドと、フックに保持させることができるとともに該フックから引き出して使用可能な可動シャワーヘッドを備えたシャワー装置において、前記可動シャワーヘッドを前記フックに保持させた状態では該可動シャワーヘッドが止水状態となり、且つ前記固定シャワーヘッドが吐水可能状態となり、前記可動シャワーヘッドを前記フックから引き出した状態では該可動シャワーヘッドが吐水可能状態となり、且つ前記固定シャワーヘッドが止水状態となるように、吐水を切り替える吐水切替手段を設け、該吐水切替手段が、前記可動シャワーヘッドが前記フックに保持されている保持状態を検知する検知手段と、該検知手段が前記可動シャワーヘッドの保持状態を検知した時に該可動シャワーヘッドへの吐水流路を閉止させ、且つ前記固定シャワーヘッドへの吐水流路を開放させる弁手段で構成されていることにより、可動シャワーヘッドをフックから引き出して良好に可動シャワーヘッドから吐水させることができ、また、可動シャワーヘッドをフックに保持させることで固定シャワーヘッドが吐水可能状態となり、わざわざ切替ハンドルを設けて操作せずとも、シャワーヘッドの位置によって自動的に吐水流路を切り替えることができ、極めて使用勝手が良好なものとなる。
【０００７】
また、前記検知手段は、前記可動シャワーヘッドの吐水口側を使用者から見えないように前記フックに保持させた時のみ保持状態を検知し、前記弁手段が前記可動シャワーヘッドへの吐水流路を閉止させ、且つ前記固定シャワーヘッドへの吐水流路を開放させるように構成したことにより、可動シャワーヘッドの吐水口側を使用者から見えないようにフックに保持させた時には、可動シャワーヘッドからの吐水はなく固定シャワーヘッドが吐水可能状態となり、可動シャワーヘッドの吐水口側を例えば手前側に向けて検知手段から離してフックに保持させた時、および可動シャワーヘッドをフックから引き出して手で持ったような時には、固定シャワーヘッドが止水状態となり、可動シャワーヘッドから吐水させることができ、可動シャワーヘッドの吐水口側を例えば手前側に向けてフックに保持させた状態で可動シャワーヘッドから吐水させて良好に洗髪等を行うことができ、また可動シャワーヘッドを手に持って良好にシャワーを浴びることができるものとなり、使用勝手が良好なものとなる。
【実施例】
【０００８】
以下、本発明の実施例を図面に基づいて説明する。
図１は、浴室内に設置されたシャワー装置３の全体構成図であり、図２は、ハンドシャワーをフックに保持した状態（使用しない場合）を示し、図３は、ハンドシャワーの吐水口を手前側に向けた状態（フックに保持して使用する場合）を示し、図４は、ハンドシャワーを引き出した状態を示し、また図５は、ハンドシャワーの拡大斜視図を示す。
【０００９】
浴室内の浴槽１の近傍に床面から立設されたシャワータワー２の上部には、上方へ湾曲しながら手前側へ延びるオーバーヘッドシャワー４が設けられており、シャワータワー２の下部にはハンドシャワー５が着脱可能に設けられている。
このハンドシャワー５の上方には、オン／オフスイッチ６が設けられており、更にこのオン／オフスイッチ６の上方には、ジョイスティック式で構成された湯温および水量を調整することのできる温調・水量調整部７が設けられており、更にその上方には、温調・水量調整部７で調整された湯温および水量等を表示する温調・水量表示部８が設けられている。
【００１０】
なお、シャワータワー２には制御部１４が設けられており、シャワータワー２は、図６の縦断面拡大構成図で示すように中空角パイプ状に形成されて、シャワータワーの前壁２ａには開口９ａが形成されており、前壁２ａに形成された開口９ａの奥側には、シャワータワーの背壁２ｂから前壁２ａ側に下傾状に差込孔９ｃを有するフック傾斜壁９ｂが形成されており、この開口９ａとフック傾斜壁９ｂでフック９が形成され、このフック９にハンドシャワー５を保持させることができるように構成されている。
【００１１】
ハンドシャワー５は、下端にホース１０が接続された挿入部５ｄが形成されており、上端側に吐水口５ａａを有するシャワーヘッド部５ａが形成され、上端のシャワーヘッド部５ａから下方側へ延出部５ｂが連続され、延出部５ｂの下端側でくの字状に曲げられて手で握ることのできる握り部５ｃが形成されており、この握り部５ｃの下端に、前記挿入部５ｄが形成されている。なお、ホース１０内は吐水流路１０ａとなっている。
【００１２】
このようなハンドシャワー５は、図６に示すように、下端の挿入部５ｄをフック傾斜壁９ｂの差込孔９ｃ内に差し込んでフック９に保持させることができ、図６の実線で示すように、挿入部５ｄを差込孔９ｃ内に差し込み、ハンドシャワー５の延出部５ｂをほぼ垂直状にシャワータワー２の前壁２ａに平行に立ち上げて、シャワーヘッド部５ａの吐水口５ａａを使用者から見えないように前壁２ａにほぼ当接させて保持させた場合は、図２に示すように、シャワータワー２の前壁２ａから突出する量を少なくして、すっきりとした保持状態が得られるものであり、この状態で、シャワータワーの前壁２ａに設けられている検知手段１２の位置にシャワーヘッド部５ａの吐水口５ａａの面がほぼ当接状態となるように設定されている。
【００１３】
なお、この検知手段１２は、スプリング式の機械的な検知手段で構成される場合、あるいは、赤外線センサ等の近接センサで構成される場合があり、この検知手段１２は制御部１４を介し接続線１３で吐水流路１０ａに設けられている切替弁１１ｂに接続され、検知手段１２がシャワーヘッド部５ａの接近状態あるいは当接状態を検知した時に、制御部１４を介して切替弁１１ｂが閉止され吐水流路１０ａが閉じられるように構成されている。なお、メインバルブ１１ａの下流側から前記オーバーヘッドシャワー４まで延びるホース１５が分岐され、このホース１５内が吐水流路１５ａとなっており、この吐水流路１５ａに切替弁１１ｃが設けられており、この切替弁１１ｃは前記切替弁１１ｂが閉止された時に開放されるように構成されている。
【００１４】
従って、図６の実線で示すように、フック９にハンドシャワー５が保持されている時には、切替弁１１ｂは閉止され、切替弁１１ｃが開放され、使用者がオン／オフスイッチ６をオンした時にはメインバルブ１１ａが開いて、オーバーヘッドシャワー４から吐水がなされることとなり、使用者はハンドシャワー５が図６の実線で示す状態にフック９に保持されているのを視認して、ハンドシャワー５からは吐水されることがなくオーバーヘッドシャワー４から吐水がなされることを良好に認識することができて、オン／オフスイッチ６をオンした時に、予想外にオーバーヘッドシャワー４からの吐水を頭から浴びるようなことはなくなる。
【００１５】
なお、ハンドシャワー５が図６に実線で示す保持状態以外の状態にある時、即ち、図６の想像線で示すように、ハンドシャワー５のシャワーヘッド部５ａが検知手段１２から離れた前方側向きにフック９に保持されているような場合（図３参照）、あるいは図４に示すように、ハンドシャワー５をフック９から引き出して手で持っているような状態では、検知手段１２がシャワーヘッド部５ａを検知しないため、切替弁１１ｂは開き、切替弁１１ｃは閉じられた状態となり、この状態ではオン／オフスイッチ６がオンされ、メインバルブ１１ａが開くと、優先的にハンドシャワー５のシャワーヘッド部５ａの吐水口５ａａから吐水が行われて、オーバーヘッドシャワー４からは吐水が行われることはない。
従って、図６の想像線あるいは図３で示すようなフック９への保持状態、あるいは図４のようにフック９から引き出した状態では、直ちにハンドシャワー５から吐水させて良好にシャワーを浴びることができるものであり、使用勝手が良好なものとなる。
【００１６】
また、図６の想像線あるいは図３で示すようにハンドシャワー５を手前に向けたり、図４のように引き出して手で持つのは、ハンドシャワー５を使用したい時であり、この状態では必ずハンドシャワー５から吐水が行われるために、オーバーヘッドシャワー４から誤って吐水されることがなく、誤動作を未然に防ぐことができるものとなる。
【００１７】
なお、本例では、ハンドシャワー５は、くの字状に形成したものを例示しているが、このような形状のハンドシャワー５に限定されるものではなく、また、フック９の形状も本例のものに限定されるものではなく、フックにシャワーヘッド部５ａを差し込んで保持させるような構造としても良く、フック内にシャワーヘッド部５ａが差し込まれた状態で検知手段１２により検知されて切替弁１１ｂが閉止され、切替弁１１ｃが開かれるような構成であっても良い。
【図面の簡単な説明】
【００１８】
【図１】シャワー装置の設置状態の全体構成図である。
【図２】ハンドシャワーをフックに保持した状態（使用しない場合）のシャワー装置の要部構成図である。
【図３】ハンドシャワーの吐水口を手前側に向けた状態（フックに保持して使用する場合）のシャワー装置の要部構成図である。
【図４】ハンドシャワーをフックから引き出した状態のシャワー装置の要部構成図である。
【図５】ハンドシャワーの拡大斜視構成図である。
【図６】ハンドシャワーをフックに保持させた状態の側面拡大断面構成図である。
【符号の説明】
【００１９】
１  浴槽
２  シャワータワー
３  シャワー装置
４  オーバーヘッドシャワー
５  ハンドシャワー
５ａ  シャワーヘッド部
５ａａ  シャワーヘッド部の吐水口
５ｂ  延出部
５ｃ  握り部
５ｄ  挿入部
６  オン／オフスイッチ
７  温調・水量調整部
８  温調・水量表示部
９  フック
９ａ  開口
９ｂ  フック傾斜壁
９ｃ  差込孔
１０，１５  ホース
１０ａ，１５ａ  吐水流路
１１ａ  メインバルブ
１１ｂ，１１ｃ  切替弁
１２  検知手段
１４  制御部
【図１】
2007135906.tif 000003
【図２】
2007135906.tif 000004
【図３】
2007135906.tif 000005
【図４】
2007135906.tif 000006
【図５】
2007135906.tif 000007
【図６】
2007135906.tif 000008